(57)【特許請求の範囲】
【請求項１】
外部装置に取り付けるための導電性の取付ホルダと、ゴム部により前記取付ホルダを保持してねじにより導電性のフレームに固着された防振部材とを備えた磁気ディスク装置において、前記フレームと前記取付ホルダとを電気的に接続するための導電性弾性体を設けられ、前記防振部材は一方の端部に鍔部を有する筒状のカラー部を有し、このカラー部の側面周囲に前記ゴム部を配置され、前記導電性弾性体は前記ねじにより前記防振部材と共に共締めされて前記フレームに固着されていることを特徴とする磁気ディスク装置。
【請求項２】
導電性弾性体は一端をフレームに当接し、他端を取付ホルダに当接していることを特徴とする請求項１に記載の磁気ディスク装置。
【請求項３】
防振部材と導電性弾性体とを共締めするねじは導電性を有し、導電性弾性体は一端を取付ホルダに当接し、他端を前記ねじのねじ頭の裏側に当接していることを特徴とする請求項１に記載の磁気ディスク装置。
【請求項４】
防振部材のカラー部は導電性を有して他方の端部をフレームに当接し、導電性弾性体は一端を取付ホルダに当接し、他端を前記防振部材の一方の端部に設けられた鍔部に当接していることを特徴とする請求項１に記載の磁気ディスク装置。
【請求項５】
フレームは側面に下方向に開口した位置決め用切り欠き部を設けられ、取付ホルダは前記位置決め用切り欠き部の内壁に当接する位置決め突部を設けられていることを特徴とする請求構項２乃至４に記載の磁気ディスク装置。
【発明の詳細な説明】
【０００１】
【発明の属する技術分野】
この発明は磁気ディスク装置に係わり、例えば、磁気ディスク装置を他の装置に取り付ける際の取り付け歪みの影響を防止できると共にグラウンドを好適に行ない得る構造を有する磁気ディスク装置に関するものである。
【０００２】
【従来の技術】
従来の磁気ディスク装置（不図示）においては、パソコン等の他の装置に取り付ける際、磁気ディスク装置のフレームに取付ホルダ（不図示）をねじ等により取り付け、その取付ホルダを他の装置の取付座にねじ等により固定するものであった。ここで、取付ホルダを他の装置に取り付ける際、その取り付け歪みがフレームに影響を及ぼし、フレームの平面度などが損なわれ、正常な記録又は再生動作ができなくなるなどの問題点があった。この問題点を解消するため、従来の磁気ディスク装置では、図１１に示すようなフローティング構造が採用されている。図において、１０はフレームであり、記録媒体（不図示）に情報を記録又は記録された情報を再生する磁気ヘッド（不図示）、この磁気ヘッドを搭載してシーク方向に移動するキャリッジ部（不図示）、記録媒体を回転する媒体駆動モータ（不図示）などを取り付け又は収納されている。１１は電子回路基板であり、フレーム１０に搭載された磁気ヘッド、キャリッジ部、媒体駆動モータ等の動作を制御する制御部を形成されている。１２は取付ホルダであり、フレーム１０とは別部品で構成され、他の装置の取付座に固定するためのねじ孔等を設けられている。１３は防振部材であり、取付ホルダ１２を揺動可能に支持する。１４は防振部材１３のゴム部であり、取付ホルダ１２を揺動可能に保持している。１５は防振部材１３の筒状のカラー部であり、一方の端部に鍔部を有して他方の端部をフレーム１０に当接し、その側面にゴム部１４を設けられている。１６は防振部材１３をフレーム１０に固定する取付ねじ部、１７はボトムカバーであり、フレーム１０下部を覆うように、取付ホルダ１２に第１、第２の係合部１７ａ、１７ｂにより引っかけて取り付けられている。１８はトップカバーであり、フレーム１０の上部を覆うようにフレーム１０に取り付けられている。１９は磁気ディスク装置であり、符号１０〜１８を付した構成を含む。
【０００３】
図１２は図１１に示すＡ部拡大断面図である。図に示すように、ゴム部１４により取付ホルダ１２が支持され、フレーム１０と取付ホルダ１２は接触していないので、取付ホルダ１２を他の装置の取付座に取り付けた際の歪などがゴム部１４に吸収されてフレーム１０に悪影響を及ぼすおそれがほとんどない。
【０００４】
【発明が解決しようとする課題】
従来の磁気ディスク装置１９は以上のように構成されているので、フレーム１０と取付ホルダ１２とが接触しておらず、フレーム１０と取付ホルダ１２の導通を確保できない。このため、磁気ディスク装置１９とこれを取り付ける他の装置とのグラウンドレベルでの電位差が生じるため、他の装置内部にある電源ノイズなどのノイズ特性が悪化する傾向にある。また、取付ホルダ１２をゴム部１４により支持しているので、フレーム１０と取付ホルダ１２との相対位置精度が悪く、又、磁気ディスク装置全体の長さ、幅などの規制が難しく、他の装置に取り付ける際の位置決めが困難である。
【０００５】
この発明は以上のような問題点を解消するためになされたもので、防振部材の効果を損なうことなく、フレームと取付ホルダとの導通を確保でき、耐ノイズ特性を向上できる磁気ディスク装置を得ること。また、フレームと取付ホルダとの相対位置精度を向上させ、他の装置に取り付ける際の位置決めが容易な磁気ディスク装置を得ることを目的とする。
【０００６】
【課題を解決するための手段】
この発明の磁気ディスク装置は、外部装置に取り付けるための導電性の取付ホルダと、ゴム部により前記取付ホルダを保持してねじにより導電性のフレームに固着された防振部材とを備えた磁気ディスク装置において、前記フレームと前記取付ホルダとを電気的に接続するための導電性弾性体を設けられ、前記防振部材は一方の端部に鍔部を有する筒状のカラー部を有し、このカラー部の側面周囲に前記ゴム部を配置され、前記導電性弾性体は前記ねじにより前記防振部材と共に共締めされて前記フレームに固着されているものである。
【０００７】
この発明の磁気ディスク装置は、導電性弾性体は一端をフレームに当接し、他端を取付ホルダに当接しているものである。
【０００８】
この発明の磁気ディスク装置は、防振部材と導電性弾性体とを共締めするねじは導電性を有し、導電性弾性体は一端を取付ホルダに当接し、他端を前記ねじのねじ頭の裏側に当接しているものである。
【０００９】
この発明の磁気ディスク装置は、防振部材のカラー部は導電性を有して他方の端部をフレームに当接し、導電性弾性体は一端を取付ホルダに当接し、他端を前記防振部材の一方の端部に設けられた鍔部に当接しているものである。
【００１０】
この発明の磁気ディスク装置は、フレームは側面に下方向に開口した位置決め用切り欠き部を設けられ、取付ホルダは前記切り欠き部の内壁に当接する位置決め突部を設けられているものである。
【００１６】
【発明の実施の形態】
実施の形態１．
この発明の磁気ディスク装置の一実施の形態を説明する。図１は実施の形態１による磁気ディスク装置を示す説明図、図２は図１に示すＢ部拡大断面図、図３は図１に示すＣから見た矢視図である。図において、図１１又は図１２と同一符号は同一又は相当部分を示し説明を省略する。１は導電性弾性体であり、一端を取付ホルダ１２に当接し、他端を取付ねじ部１６のねじ頭の裏側に当接し、取付ねじ部１６により、防振部材１３と共にフレーム１０に固定されている。この実施の形態１ではステンレススチール製の板ばねを用いている。また、取付ねじ部１６は導電性の材料により形成されている。
また、１０ａはフレーム１０の側面にその下方に開口して設けられた位置決め用切り欠き部、１２ａは取付ホルダ１２に設けられた位置決め用突部であり、位置決め用切り欠き部１０ａの内壁に当接し、装置の長さ方向に対するフレーム１０と取付ホルダ１２との相対位置を規制する。なお、位置決め用切り欠き部１０ａは位置決め用突部１２ａよりも幅広に形成され、取付ホルダ１２をガタ寄せすることにより位置決めしている。また、位置決め用切り欠き部１０ａの切り欠き底部に位置決め用突部１２ａの先端が当接しないように設けられており、取付ホルダ１２の微小な上下動がフレーム１０に大きな悪影響を与えないようにしている。１９ａは磁気ディスク装置であり、符号１を付した構成及び符号１０〜１８を付した構成を含む。
【００１７】
また、図４は導電性弾性体１の他の取付構造を示す説明図であり、図に示すように、一端を取付ホルダ１２に当接し、他端をフレーム１０に直接当接するようにしている。このように導電性弾性体１を取り付けることにより、取付ねじ部１６を導電性のものとしなくても良い。
【００１８】
また、図２に示す導電性弾性体１の取付構造においても、カラー部１５を導電性の材料から形成し、導電性弾性体１をカラー部１５の鍔部に当接させることにより、取付ねじ部１６を導電性のものとしなくても済む。
【００１９】
この実施の形態１による磁気ディスク装置１９ａによれば、フレーム１０と取付ホルダ１２とを電気的に接続するための導電性弾性体１が、一方の端部を取付ホルダ１２に当接し、他端を導電性の取付ねじ部１６のねじ頭の裏側に当接し、防振部材１３と共に取付ねじ部１６により共締めされてフレーム１０に固着されているので、容易な構造でフレーム１０と取付ホルダ１２との導通を確保でき、防振部材１３による防振効果を確保できると共に耐ノイズ特性を向上できる磁気ディスク装置を得ることができる。
【００２０】
また、フレーム１０の側面に下方に開口した位置決め用切り欠き部１０ａを設け、取付ホルダ１２に位置決め用切り欠き部１０ａの内壁に当接する位置決め用突部１２ａを設けて、取付ホルダ１２をガタ寄せしてフレーム１０に取り付けるので、磁気ディスク装置１９ａの全体の長さを規制できる。
【００２１】
実施の形態２．
この発明の磁気ディスク装置の他の実施の形態を説明する。図５はフレームと取付ホルダの導通構造の他の態様を示す説明図、図６は図５に示すボトムカバーの詳細説明図である。図において、図１〜図４と同一符号は同一又は相当部分を示し説明を省略する。１７ａは導電性のボトムカバー１７に設けられた第１の係合部であり、一方の取付ホルダ１２に係合する。１７ｂはボトムカバー１７に設けられた第２の係合部であり、他方の取付ホルダ１２とフレーム１０に係合する。第１、第２の係合部１７ａ、１７ｂはボトムカバー１７の側面端部を折り曲げることにより形成され、第２の係合部１７ｂは弾性を有するように構成されている。すなわち、ボトムカバー１７の取り付け時に第２の係合部１７ｂがフレーム１０側に付勢されるように、所定の角度θを設けて折り曲げられている。
【００２２】
図５に示すように、第２の係合部１７ｂはその取り付け時に方向Ｄ側に付勢されるようになり、取付ホルダ１２とフレーム１０とに当接している。これにより、フレーム１０と取付ホルダ１２との導通を確保でき、防振部材１３による防振効果を確保できると共に耐ノイズ特性を向上できる磁気ディスク装置を得ることができる。
【００２３】
なお、第１、第２の係合部１７ａ、１７ｂを図７に示すように、フレーム１０の側面に沿って延設し、フレーム１０の側面に当接するようにしても良い。第１、第２の係合部１７ａ、１７ｂを図７に示すような構造とする場合、第１、第２の係合部１７ａ、１７ｂをボトムカバー１７の内側に若干曲げることにより、ボトムカバー１７を装置に組み込んだ際、第１、第２の係合部１７ａ、１７ｂがその弾性によりフレーム１０の側面に付勢されるようにすることができる。この場合も図５に示すボトムカバー１７と同様にフレーム１０と取付ホルダ１２との導通を確保できる。
【００２４】
実施の形態３．
この発明の磁気ディスク装置の他の態様を説明する。図８はフレームと取付ホルダの導通構造の他の態様を示す説明図である。図において、図１〜図７と同一付号は同一又は相当部分を示し説明を省略する。
【００２５】
１１ａは電子回路基板１１に設けられたアース端子であり、ジャンパー線１１ｂによりフレーム１０に電気的に接続されている。１７ｃはボトムカバー１７に設けられた端子当接部であり、ボトムカバー１７の平面部からプレス加工により電子回路基板１１側に切り起こされて設けられ、アース端子１１ａに当接している。
これにより、フレーム１０と取付ホルダ１２は電子回路基板１１、ボトムカバー１７を介して電気的に導通しており、図５に示すものと同様に、防振部材１３による防振効果を確保できると共に耐ノイズ特性を向上させることができる。
【００２６】
なお、この実施の形態３では、ジャンパー線１１ｂにより電子回路基板１１とフレーム１０とを電気的に導通したが、アース端子１１ａに孔部を設け、フレーム１０に雌ねじ部を設けて、導電性のねじによりフレーム１０と電子回路基板１１の導通を行っても良い。具体的には、導電性のねじのねじ頭の裏側がアース端子１１ａに当接するようにねじ締めすれば良い。この場合、電子回路基板１１をフレーム１０に取り付けるためのねじの省略が可能である。
【００２７】
実施の形態４．
この発明の磁気ディスク装置の他の実施の形態を説明する。図９はフレームと取付ホルダとの導通構造の他の態様を示す説明図である。図において、図１〜図８と同一符号は同一又は相当部分を示し説明を省略する。１８ａはトップカバー１８に設けられた当接片部であり、トップカバー１８の側面からフレーム１０の側面に沿って延設されており、かつその突起部１８ａ１、１８ａ２がフレーム１０と取付ホルダ１２とに当接している。この当接片部１８ａによりフレーム１０と取付ホルダ１２との導通を確保でき、防振部材１３による防振効果を確保できると共に耐ノイス特性を向上させることができる。
【００２８】
実施の形態５．
この発明の磁気ディスク装置の他の実施の形態を説明する。図１０は取付ホルダの位置決め構造を示す説明図である。図において、図１〜図９と同一符号は同一又は相当部分を示し説明を省略する。１７ｄはボトムカバー１７に設けられた窪み部であり、ボトムカバー１７の平面部に両側面から所定の距離に窪みの端部が位置するように設けられている。取付ホルダ１２の取り付け時は、取付ねじ部１６により取付ホルダ１２を仮止めした後、ボトムカバー１７を取付ホルダ１２に取り付け、その後、取付ホルダ１２の底面部側面を窪み部１７ｄの壁面に当接させる。これにより、装置の幅方向に対して取付ホルダ１２の位置決めがなされるので、この後、取付ねじ部１６を本締めして取付ホルダ１２をフレーム１０に固定する。
これにより、装置全体の幅を容易に規制することができる。なお、図１〜図９に示すフレーム１０と取付ホルダ１２との導通構造を、この実施の形態５に合わせて使用することにより、耐ノイズ特性を向上させることができる。
【００２９】
【発明の効果】
この発明の磁気ディスク装置によれば、外部装置に取り付けるための導電性の取付ホルダと、ゴム部により取付ホルダを保持して導電性のフレームにねじにより固着された防振部材と、フレームと取付ホルダとを電気的に接続するための導電性弾性体とを備え、防振部材は一方の端部に鍔部を有する筒状のカラー部とこのカラー部の側面周囲に配置されたゴム部とを設けられ、導電性弾性体はねじにより防振部材と共に共締めされてフレームに固着されているので、容易な構造でフレームと取付ホルダとの導通を確保でき、防振部材の防振効果を損なうことなく、耐ノイズ特性を向上させることができる。
【図面の簡単な説明】
【図１】この発明の磁気ディスク装置の一実施の形態を示す説明図である。
【図２】図１に示すＢ部拡大断面図である。
【図３】図１に示すＣから見た矢視図である。
【図４】この発明の導通構造の他の態様を示す説明図である。
【図５】この発明の導通構造の他の態様を示す説明図である。
【図６】図５に示すボトムカバーの詳細説明図である。
【図７】この発明の導通構造の他の態様を示す説明図である。
【図８】この発明の導通構造の他の態様を示す説明図である。
【図９】この発明の導通構造の他の態様を示す説明図である。
【図１０】この発明の位置決め構造を示す説明図である。
【図１１】従来の磁気ディスク装置を示す説明図である。
【図１２】図１１に示すＡ部拡大断面図である。
【符号の説明】
１  導電性弾性体、  １０  フレーム、  １０ａ  位置決め用切り欠き部、  １１  電子回路基板、  １１ａ  アース端子、  １１ｂ  ジャンパー線、  １２取付ホルダ、  １２ａ  位置決め用突部、  １３  防振部材、  １４  ゴム部、  １５  カラー部、  １６  取付ねじ部、  １７  ボトムカバー、  １７ａ  第１の係合部、  １７ｂ  第２の係合部、  １７ｃ  端子当接部、  １７ｄ  窪み部、  １８  トップカバー、  １８ａ  当接片部、  １８ａ１、１８ａ２  突起部、  １９、１９ａ  磁気ディスク装置。
【図１】
0003551803.tif 000002
【図２】
0003551803.tif 000003
【図３】
0003551803.tif 000004
【図４】
0003551803.tif 000005
【図５】
0003551803.tif 000006
【図６】
0003551803.tif 000007
【図７】
0003551803.tif 000008
【図８】
0003551803.tif 000009
【図９】
0003551803.tif 000010
【図１０】
0003551803.tif 000011
【図１１】
0003551803.tif 000012
【図１２】
0003551803.tif 000013